(57)【要約】
【課題】　着用時に生殖器官に対する締めつけ感がなく、男性生殖器官の曲線に符合し且つ着用して快適である男性用下着。
【解決手段】　前外層布と前内層布がいずれも前向きに湾曲するミシン線を具え、前向きに膨張する凸部を形成し、これにより着用時に確実に男性生殖器官の形状にフィットし、且つ生殖器官が直接接触する前内層布の突出部にミシン線がないため、着用して快適である。本体布、前内層布、前外層布と腰部弾性帯の布の弾性はいずれも同じ弾性伸縮比を採用し、これにより着用時に上下左右方向の緊張度が同じで着用して更に快適である。
【選択図】　　　　図５
0003099418.tif 000002
【実用新案登録請求の範囲】
【請求項１】
　本体布、前内層布、前外層布、腰部弾性帯及び二つの脚はき口弾性帯が接合されてなり、並びに男性の両足を通し腰部に着用するパンツ型が区画形成され、該本体布と前内層布、前外層布にいずれも弾性織布が採用され、該前内層布と前外層布の面積が男性の生殖器官を被覆するに十分な面積を有する男性用下着において、
　該前内層布の中間部分に前向きに湾曲するミシン線が設けられて前外層布の中間部分に突出部が形成され、該前内層布の中間部分の上段に前向きに湾曲するミシン線があり、前内層布の中間部分の下段に前向きに別の湾曲するミシン線があり、これにより前内層布の中間部分の上段と下段の間にミシン線のない前向きの突出部が形成され、男性が着用した後に、その生殖器官の形状にフィットし、且つ生殖器官と直接接触する前内層布の突出部のミシン線をなくしたことを特徴とする、男性用下着。
【請求項２】
　請求項１記載の男性用下着において、腰部弾性帯、本体布、前内層布、前外層布及び脚はき口弾性帯に同じ弾性伸縮比が採用されて着用時の上下左右方向の締めつけ度が同じとされたことを特徴とする、男性用下着。
【考案の詳細な説明】
【技術分野】
【０００１】
　本考案は一種の男性用下着に係り、特に、着用時の生殖器官に対する締めつけ感の欠点を改善し、男性生殖器官の曲線に符合し且つ着用してリラックスし快適である男性用下着に関する。
【背景技術】
【０００２】
　現在、男性用下着の種類は非常に多く、図１に示される男性用下着５は着用時に締めつけ感があり、図２に示される男性用下着６は弾性織布を採用しているため、着用時には比較的快適であるが、男性生殖器官部分に締めつけ感があり、快適でない欠点がある。且つ腰部弾性帯６１と本体布６２の弾性布材の弾性伸縮比が異なるため、着用時の上下左右の締めつけの弾性が不一致であり、このため着用してあまり快適でない。
【考案の開示】
【考案が解決しようとする課題】
【０００３】
　本考案の主要な目的は、一種の男性用下着を提供することにあり、それは、男性用下着の前外層布と前内層布がいずれも前向きに湾曲するミシン線を具え、それぞれに前向きに突出部が形成され、このため着用時に確実に男性生殖器官の形状にフィットし、且つ生殖器官が直接接触する前内層布の突出部にミシン線がないため、着用して更に快適であるものとする。
【０００４】
　本考案の次の目的は、一種の男性用下着を提供することにあり、その本体布、前内層布、前外層布と腰部弾性帯の布の弾性がいずれも同じ弾性伸縮比とされ、このため着用時に上下左右のいずれの方向の締めつけ度も同じであり、着用して更に快適であるものとする。
【課題を解決するための手段】
【０００５】
　請求項１の考案は、本体布、前内層布、前外層布、腰部弾性帯及び二つの脚はき口弾性帯が接合されてなり、並びに男性の両足を通し腰部に着用するパンツ型が区画形成され、該本体布と前内層布、前外層布にいずれも弾性織布が採用され、該前内層布と前外層布の面積が男性の生殖器官を被覆するに十分な面積を有する男性用下着において、
　該前内層布の中間部分に前向きに湾曲するミシン線が設けられて前外層布の中間部分に突出部が形成され、該前内層布の中間部分の上段に前向きに湾曲するミシン線があり、前内層布の中間部分の下段に前向きに別の湾曲するミシン線があり、これにより前内層布の中間部分の上段と下段の間にミシン線のない前向きの突出部が形成され、男性が着用した後に、その生殖器官の形状にフィットし、且つ生殖器官と直接接触する前内層布の突出部のミシン線をなくしたことを特徴とする、男性用下着としている。
　請求項２の考案は、請求項１記載の男性用下着において、腰部弾性帯、本体布、前内層布、前外層布及び脚はき口弾性帯に同じ弾性伸縮比が採用されて着用時の上下左右方向の締めつけ度が同じとされたことを特徴とする、男性用下着としている。
【考案の効果】
【０００６】
　本考案によると、前外層布と前内層布がいずれも前向きに湾曲するミシン線を具え、前向きに膨張する凸部を形成し、これにより着用時に確実に男性生殖器官の形状にフィットし、且つ生殖器官が直接接触する前内層布の突出部にミシン線がないため、着用して快適である。本体布、前内層布、前外層布と腰部弾性帯の布の弾性はいずれも同じ弾性伸縮比を採用し、これにより着用時に上下左右方向の緊張度が同じで着用して更に快適である。
【考案を実施するための最良の形態】
【０００７】
　図３から図５に示されるように、本考案の男性用下着は、本体布１、前内層布２（図４参照）、前外層布３と腰部弾性帯４が接合されてなり、並びに男性の両足を通し腰部に着用するパンツ型を区画形成している。前述の本体布１と前内層布２、前外層布３はいずれも弾性織布を採用し、前述の前内層布２と前外層布３の面積は男性の生殖器官を被覆するに十分な面積を有している。本考案の特徴は以下のとおりである。
【０００８】
　前内層布２の中間部分は前向きに湾曲するミシン線３１を具え、これにより前外層布３の中間部分に突出部３２が形成され、該前内層布２の中間部分の上段に前向きに湾曲するミシン線２１があり、前内層布２の中間部分の下段にも前向きに湾曲するミシン線２３があり、これにより前内層布２の中間部分の上段と下段の間にミシン線のない前向きの突出部２２が形成される。この特徴により、男性が着用した後に、その生殖器官の形状にフィットし、且つ生殖器官と直接接触する前内層布２の突出部２２にミシン線がないため、着用して快適である。このほか、前述の腰部弾性帯４、本体布１、前内層布２と前外層布３にいずれも同じ弾性伸縮比が採用され、このため着用時に上下左右方向の締めつけ度が同じとなり、着用して更に快適である長所を有する。
【０００９】
　図６は本考案のもう一つの実施例であり、その構造は前述の実施例と同じであり、その足を通す部分に本体布１、前外層布３、前内層布２、腰部弾性帯４と同じ伸縮比の脚はき口弾性帯７、８が縫い付けられている。
【００１０】
　本考案は以下のような長所を有している。
　１．男性用下着の前外層布３と前内層布２がいずれも前向きに湾曲するミシン線３１、２１、２３を具え、それぞれ前向きに突出部３２、３３を形成しており、このため着用時に確実に男性生殖器官の形状にフィットし、且つ生殖器官が直接接触する前内層布２の突出部２２にミシン線がないため、着用して更に快適であるものとする。
　２．本体布１、前内層布２、前外層布３と腰部弾性帯４及び脚はき口弾性帯７、８の布の弾性がいずれも同じ弾性伸縮比とされ、このため着用時に上下左右のいずれの方向の締めつけ度も同じであり、着用して更に快適である。
【図面の簡単な説明】
【００１１】
【図１】周知の男性用下着の斜視図である。
【図２】もう一つの周知の男性用下着の斜視図である。
【図３】本考案の実施例中の腰部弾性帯と本体布の分解斜視図である。
【図４】本考案の実施例中の前内層布と前外層布の分解斜視図である。
【図５】本考案の実施例の斜視図である。
【図６】本考案のもう一つの実施例の斜視図である。
【符号の説明】
【００１２】
　１　本体布
　２　前内層布
　３　前外層布
　４　腰部弾性帯
　３１　ミシン線
　３２　突出部
　２１　ミシン線
　２３　ミシン線
　２２　突出部
　７、８　脚はき口弾性帯
【図１】
0003099418.tif 000003
【図２】
0003099418.tif 000004
【図３】
0003099418.tif 000005
【図４】
0003099418.tif 000006
【図５】
0003099418.tif 000007
【図６】
0003099418.tif 000008